(57)【要約】  本発明はクルマ通信（Ｖ２Ｘ）サービスのデータ送信装置、方法及び通信システムを提供する。該装置は、前記端末装置の媒体アクセス制御（ＭＡＣ）層に設けられ、１つのプロトコルデータユニット（ＰＤＵ）に含まれるサービスデータユニット（ＳＤＵ）に対応する送信モードが同じである方式で、少なくとも１つのＰＤＵを生成する第一生成ユニット；及び、前記ＭＡＣ層に設けられ、前記ＰＤＵを前記端末装置の物理層に送信し、また、前記ＰＤＵに対応する前記送信モードを前記物理層に通知する第一送信ユニットを含む。本発明は、物理層がその対応する送信モードでデータを送信することに有利であり、また、本実施例では、該端末装置が該送信モードを決定し又は指示情報に基づいて設定し、端末装置の各層がその対応する処理を行うため、実現は簡単である。
2021536174.tif 000002
【特許請求の範囲】
【請求項１】
端末装置に設けられるＶ２Ｘサービスのデータ送信装置であって、
前記端末装置の媒体アクセス制御（ＭＡＣ）層に設けられ、１つのプロトコルデータユニット（ＰＤＵ）に含まれるサービスデータユニット（ＳＤＵ）に対応する送信モードが同じである方式により、少なくとも１つのＰＤＵを生成するための第一生成ユニット；及び
前記ＭＡＣ層に設けられ、前記ＰＤＵを前記端末装置の物理層に送信し、また、前記ＰＤＵに対応する前記送信モードを前記物理層に通知するための第一送信ユニットを含む、装置。
【請求項２】
請求項１に記載の装置であって、
前記送信モードはユニキャスト、グループキャスト又はブロードキャストを含む、装置。
【請求項３】
請求項１に記載の装置であって、
前記端末装置の上位層に設けられ、前記送信モードを決定するための第一決定ユニットを更に含む、装置。
【請求項４】
請求項３に記載の装置であって、
前記第一決定ユニットは、Ｖ２Ｘサービスのデータパケット（ｄａｔａ  ｐａｃｋｅｔ（ｓ））及び前記Ｖ２Ｘサービスのデータパケットに対応する送信モードを指示する、装置。
【請求項５】
請求項４に記載の装置であって、
前記端末装置のパケットフィルタ（ｐａｃｋｅｔ  ｆｉｌｔｅｒ）に設けられ、前記データパケットをサービス品質フロー（ＱｏＳ  ｆｌｏｗ）にマッピングするための第一マッピングユニットであって、１つのサービス品質フローにおけるデータパケットに対応する送信モードが同じである、第一マッピングユニットを更に含む、装置。
【請求項６】
請求項４に記載の装置であって、
前記端末装置のサービスデータ適応プロトコル（ＳＤＡＰ）層に設けられ、サービス品質フロー又は前記Ｖ２Ｘサービスのデータパケットをデータ無線ベアラ（ＤＲＢ）にマッピングするための第二マッピングユニットであって、１つのＤＲＢ上の前記サービス品質フロー又は前記Ｖ２Ｘサービスのデータパケットに対応する送信モードが同じである、第二マッピングユニットを更に含む、装置。
【請求項７】
請求項４に記載の装置であって、
前記端末装置のパケットデータコンバージェンスプロトコル（ＰＤＣＰ）層に設けられ、サービス品質フロー又は前記Ｖ２Ｘサービスデータパケットをデータ無線ベアラ（ＤＲＢ）にマッピングするための第三マッピングユニットであって、１つのＤＲＢ上の前記サービス品質フロー又は前記Ｖ２Ｘサービスのデータパケットに対応する送信モードが同じである、第三マッピングユニットを更に含む、装置。
【請求項８】
請求項１に記載の装置であって、
前記端末装置のアクセス（ＡＳ）層に設けられ、前記送信モードを決定するための第二決定ユニットを更に含む、装置。
【請求項９】
請求項８に記載の装置であって、
前記第二決定ユニットは、前記端末装置のサービスデータ適応プロトコル（ＳＤＡＰ）層、パケットデータコンバージェンスプロトコル（ＰＤＣＰ）層、無線リンク制御（ＲＬＣ）層、又は媒体アクセス制御（ＭＡＣ）層に設けられ、前記第二決定ユニットは、前記送信モードを決定する、装置。
【請求項１０】
請求項３に記載の装置であって、
前記端末装置の上位層に設けられ、下位層に前記送信モードを通知するための第二送信ユニット；又は
Ｖ２Ｘサービスのデータパケット、及び／又はサービス品質フロー（ＱｏＳ  ｆｌｏｗ）、及び／又はデータ無線ベアラ（ＤＲＢ）、及び／又は無線リンク制御（ＲＬＣ）チャネル、及び／又は論理チャネルに対応する送信モードを標識するための標識ユニットを更に含む、装置。
【請求項１１】
請求項３に記載の装置であって、
前記送信モードをネットワーク装置に通知するための第一通知ユニットを更に含む、装置。
【請求項１２】
請求項１１に記載の装置であって、
前記第一通知ユニットは、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又は、サイドリンク（ｓｉｄｅｌｉｎｋ）バッファ状態報告（ＢＳＲ）、又は、スケジューリング要求（Ｓｃｈｅｄｕｌｉｎｇ  ｒｅｑｕｅｓｔ、ＳＲ）により、前記送信モードを前記ネットワーク装置に通知する、装置。
【請求項１３】
請求項１に記載の装置であって、
前記送信モードを設定又は指示するための指示情報に基づいて、前記送信モードを設定するための第一設定ユニットを更に含み、
前記指示情報は、コアネットワークのネットワーク装置により提供され、又は、アクセスネットワークのネットワーク装置により提供され、又は、路側ユニット（ＲＳＵ）により提供され、又は、事前設定される、装置。
【請求項１４】
請求項１３に記載の装置であって、
前記コアネットワークのネットワーク装置が提供する指示情報は、サイドリンク上のｄａｔａ  ｐａｃｋｅｔｓ及び／又はＱｏＳ  ｆｌｏｗｓに対応する送信モードを設定するために用いられる、装置。
【請求項１５】
請求項１３に記載の装置であって、
前記アクセスネットワークのネットワーク装置が提供する指示情報は、サイドリンク上のＤＲＢ及び／又はＲＬＣチャネル、及び／又は論理チャネルに対応する送信モードを設定するために用いられる、装置。
【請求項１６】
請求項１３に記載の装置であって、
前記アクセスネットワークのネットワーク装置が提供する指示情報は、スケジューリングされるサイドリンクデータに対応する送信モードを含む、装置。
【請求項１７】
請求項１に記載の装置であって、
前記送信モードは、送信待ちデータのＱｏＳ特性、及び／又はＱｏＳ等級指示、及び／又は前記データ将が送信される目的端末装置、及び／又は前記データに含まれる情報の内容、及び／又は前記端末装置の地理的位置に基づいて決定される、装置。
【請求項１８】
請求項１７に記載の装置であって、
前記ＱｏＳ特性は、データの優先度、及び／又はデータの遅延、及び／又はデータの信頼性、及び／又はデータのデータレート、及び／又はデータの通信範囲を含み；
前記データに含まれる情報の内容は、道路事情、及び／又は環境、及び／又は事故情報を含み；又は、サービスルクエスト、及び／又はフィードバックを含み；又は、グループ共通情報を含む、装置。
【請求項１９】
ネットワーク装置に設けられるＶ２Ｘサービスのデータ送信装置であって、
端末装置のデータの送信モードを設定又は指示するための指示情報を生成するための第二生成ユニット；及び
前記端末装置に前記指示情報を送信するための第二送信ユニットを含み、
前記ネットワーク装置は、コアネットワークのネットワーク装置又はアクセスネットワークのネットワーク装置である、装置。
【請求項２０】
ネットワーク装置及び端末装置を含む通信システムであって、
前記ネットワーク装置は請求項１９に記載の装置を含み、前記端末装置は請求項１−１８のうちの任意の１項に記載の装置を含む、通信システム。
【発明の詳細な説明】
【技術分野】
【０００１】
本発明は、通信分野に関し、特に、クルマ通信（Ｖ２Ｘ）サービスにおけるデータ送信方法、装置及び通信システムに関する。
【背景技術】
【０００２】
クルマ通信サービスがＶ２Ｘサービスと称される。Ｖ２Ｘサービスは、複数の種類、例えば、車対車（Ｖｅｈｉｃｌｅ−ｔｏ−Ｖｅｈｉｃｌｅ、Ｖ２Ｖ）通信サービス、車対インフラ（Ｖｅｈｉｃｌｅ−ｔｏ−Ｉｎｆｒａｓｔｒｕｃｔｕｒｅ、Ｖ２Ｉ）通信サービス、車対歩行者（Ｖｅｈｉｃｌｅ−ｔｏ−Ｐｅｄｅｓｔｒｉａｎ、Ｖ２Ｐ）通信サービスなどを含んでも良い。
【０００３】
Ｖ２Ｘサービスは、ＰＣ５インターフェース及び／又はＵｕインターフェースにより提供され得る。ＰＣ５インターフェースにより伝送されるＶ２Ｘサービスについては、Ｖ２Ｘサイドリンク（ｓｉｄｅｌｉｎｋ）通信により提供することができ、Ｖ２Ｘサイドリンク通信は、端末装置が直接、ＰＣ５インターフェースにより互いに通信し得る通信モードである。
【０００４】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
本発明の発明者が次のようなことを発見した。即ち、ＬＴＥでは、Ｖ２Ｘ  ｓｉｄｅｌｉｎｋ通信のデータ送信モードについて言えば、物理層（ＰＨＹ）において主にブロードキャスト（ｂｒｏａｄｃａｓｔ）であり、新無線（ＮＲ、Ｎｅｗ  Ｒａｄｉｏ）技術では、Ｖ２Ｘは、より多くの応用シナリオをサポートするために、物理層においてユニキャスト（ｕｎｉｃａｓｔ）又はグループキャスト（ｇｒｏｕｐｃａｓｔ）の送信モードを採用する可能性がある。従来の技術では、端末装置の物理（ＰＨＹ）層に、どの種類の送信モードでデータを送信するかが通知される可能性があるが、端末装置の他の層が如何にワーキングすることで物理層がその対応する送信モードでデータを送信するかについては、従来技術ではその研究がまだ深く行われていない。
【０００６】
本発明の実施例は、データ送信方法、装置及び通信システムを提供し、端末装置の媒体アクセス層が、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるので、物理層は、ＰＤＵ（即ち、伝送ブロック）を受信した後に、対応する送信モードでデータを送信することができる。
【課題を解決するための手段】
【０００７】
本発明の実施例の第一側面によれば、端末装置に設置される通信装置が提供され、該通信装置は、
第一取得ユニットであって、クルマ通信（Ｖ２Ｘ）サービスと通信リソースパラメータとのマッピング関係に基づいて確定される通信リソースを取得又は選択する、もの；及び
通信ユニットであって、前記通信リソースを用いてターゲットＶ２Ｘサービスを送信する、ものを含む。
【０００８】
本発明の実施例の第二側面によれば、ネットワーク装置に設置される通信装置が提供され、該通信装置は、
第二取得ユニットであって、クルマ通信（Ｖ２Ｘ）サービスと通信リソースパラメータとのマッピング関係を取得又は確定する、ものを含む。
【０００９】
本発明の実施例の第三側面によれば、通信システムが提供され、該通信システムは、端末装置及びネットワーク装置を含み、該端末装置は、上述の実施例の第一側面に記載の通信装置を含み、該ネットワーク装置は、上述の実施例の第二側面に記載の通信装置を含む。
【００１０】
本発明の実施例の有利な効果は次の通りであり、即ち、端末装置の媒体アクセス層が、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるので、物理層は、対応する送信モードでデータを送信することができる。
【００１１】
後述の説明及び図面を参照することで、本発明の特定の実施形態を詳しく開示し、本発明の原理を採用し得る態様を示す。なお、本発明の実施形態は、範囲上ではこれらにより限定されない。添付した特許請求の範囲内であれば、本発明の実施形態は、様々な変更、修正及び代替によるものを含んでも良い。
【００１２】
また、１つの実施方式について説明した及び／又は示した特徴は、同じ又は類似した方式で１つ又は複数の他の実施形態に用い、他の実施形態における特徴と組み合わせ、又は、他の実施形態における特徴を置換することもできる。
【００１３】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１４】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００１５】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の通信システムを示す図である。
【図２】本発明の実施例１におけるクルマ通信（Ｖ２Ｘ）サービスのデータ送信方法を示す図である。
【図３】本発明の端末装置の一部の構成を示す図である。
【図４】本発明の実施例２の１つの実施方式におけるデータ送信方法を示す図である。
【図５】本発明の実施例２のもう１つの実施方式におけるデータ送信方法を示す図である。
【図６】本発明の実施例３におけるクルマ通信サービスのデータ送信装置を示す図である。
【図７】本発明の実施例４におけるクルマ通信（Ｖ２Ｘ）サービスのデータ送信装置を示す図である。
【図８】本発明の実施例５における端末装置の構成図である。
【図９】本発明の実施例６におけるネットワーク装置の構成図である。
【発明を実施するための形態】
【００１６】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内の全ての変更、変形及び代替によるものも含むということである。
【００１７】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００１８】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００１９】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２０】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２１】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２２】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２３】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２４】
以下、例を挙げて本発明の実施例のシナリオについて説明を行うが、本発明は、これに限られない。
【００２５】
図１は、本発明の実施例における通信システムを示す図であり、端末装置及びネットワーク装置を例とする場合を示している。図１に示すように、通信システム１００は、ネットワーク装置１０１及び複数の端末装置１０２を含んでも良い。該複数の端末装置は、例えば、端末装置１０２１、端末装置１０２２、端末装置１０２３、端末装置１０２４である。
【００２６】
本発明の実施例では、ネットワーク装置１０１と端末装置１０２との間は、従来のトラフィック又は将来実施可能なトラフィックが行われても良い。これらのトラフィックは、例えば、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これに限定されない。
【００２７】
そのうち、端末装置１０２は、ネットワーク装置１０１にデータを送信し、また、ネットワーク装置１０１からのフィードバック情報を受信することができる。ネットワーク装置１０１は、１つ又は複数の端末装置１０２にデータを送信し、また、端末装置１０２が送信するフィードバックを受信することもできる。
【００２８】
また、端末装置１０２は、他の１つ又は複数の端末装置１０２にＶ２Ｘサービスに関するメッセージを送信し、又は、端末装置１０２は、他の端末装置１０２からＶ２Ｘサービスに関するメッセージを受信することができる。例えば、端末装置１０２１は、端末装置１０２２にＶ２Ｘサービスに関するメッセージを送信し、又は、端装置１０２１は、端末装置１０２２からＶ２Ｘサービスに関するメッセージを受信し；あるいは、例えば、端末装置１０２１は、端末装置１０２２、端末装置１０２３及び端末装置１０２４にＶ２Ｘサービスに関するメッセージを送信することができる。
【００２９】
以下、通信システムにおける端末装置を送信端とし、他の端末装置を受信端とすることを例にとって説明するが、本発明はこれに限られない。送信端及び／又は受信端はさらに、他の装置であっても良い。例えば、本発明は、２つの端末装置の間の信号伝送に応用することができるだけでなく、ネットワーク装置と端末装置との間の信号伝送に適用することもできる。
【実施例１】
【００３０】
本発明の実施例１では通信方法が提供され、該方法は端末装置により実行され得る。
【００３１】
図２は、本実施例におけるクルマ通信（Ｖ２Ｘ）サービスのデータ送信方法を示す図である。図２に示すように、該方法は以下のステップを含む。
【００３２】
ステップ２０１：端末装置の媒体アクセス制御（ＭＡＣ）層が、１つのプロトコルデータユニット（ＰＤＵ）に含まれるサービスデータユニット（ＳＤＵ）に対応する送信モードが同じである方式で、少なくとも１つのＰＤＵを生成し；
ステップ２０２：前記ＭＡＣ層が前記ＰＤＵを前記端末装置の物理層に送信し、また、前記ＰＤＵに対応する送信モードを前記物理層に通知する。
【００３３】
本実施例によれば、端末装置の媒体アクセス層により、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるため、物理層は、対応する送信モードでデータを送信することができる。
【００３４】
例えば、１つのＰＤＵにおけるＳＤＵが同じ送信モードに対応し、物理層は、該ＰＤＵを受信し、また、該ＰＤＵに対応する送信モードが指示されることで、該ＰＤＵを処理し、送信待ちのデータを生成することができる。該送信待ちのデータは該送信モードに対応し、即ち、該送信待ちのデータは該送信モードで送信され得る。そのうち、物理層が受信するＰＤＵは、伝送ブロック（ｔｒａｎｓｐｏｒｔ  ｂｌｏｃｋ、ＴＢ）とも称される。
【００３５】
本実施例では、該送信モードは、ブロードキャスト（ｂｒｏａｄｃａｓｔ）、ユニキャスト（ｕｎｉｃａｓｔ）又はグループキャスト（ｇｒｏｕｐｃａｓｔ）を含む。
【００３６】
例えば、端末装置及び路側ユニット（ＲＳＵ、ｒｏａｄｓｉｄｅ  ｕｎｉｔ）間又は２つの端末装置間はデータを伝送することができ、データはユニキャスト方式（モード）で伝送することができ；あるいは、例えば、位置が近い端末装置が１つのグループ、例えば、車隊（ｐｌａｔｏｏｎｉｎｇ）を形成し、端末装置は、グループキャスト方式（モード）でデータを該グループのメンバーに送信することができる。
【００３７】
本実施例では、図２に示すように、該方法は更に以下のステップを含んでも良く、即ち、
ステップ２０３：該端末装置が該送信モードを決定又は設定する。
【００３８】
これにより、ステップ２０１では、該端末装置の媒体アクセス制御（ＭＡＣ）層が生成するＰＤＵに含まれるＳＤＵは、ステップ２０３において決定又は設定される送信モードに対応することができる。
【００３９】
本実施例のステップ２０３では、１つの実施方式において、該端末装置の上位層が該送信モードを決定し；あるいは、もう１つの実施方式において、端末装置のアクセス（ＡＳ）層が該送信モードを決定し；あるいは、またもう１つの実施方式において、該端末装置が該送信モードを設定又は指示するための指示情報に基づいて該送信モードを決定する。
【００４０】
以下、それぞれ、ステップ２０３における上述の各実施方式について説明する。
【００４１】
実施方式１：該端末装置の上位層が該送信モードを決定する。
【００４２】
本実施例では、端末装置の上位層とは、Ｖ２Ｘ応用層又は非アクセス（ＮＡＳ）層を指す。
【００４３】
実施方式１では、該端末装置の上位層が該送信モードを決定する方法は２種類がある。そのうち、方法１は、端末装置の上位層により、Ｖ２Ｘサービスのデータパケット（ｄａｔａ  ｐａｃｋｅｔ（ｓ））及び該Ｖ２Ｘサービスのデータパケットに対応する送信モードを指示することであり；方法２は、該端末装置の非アクセス（ＮＡＳ）層のパケットフィルタ（ｐａｃｋｅｔ  ｆｉｌｔｅｒ）により、サービス品質フローにおけるデータに対応する送信モードを決定することである。
【００４４】
図３は、端末装置の一部の構成を示す図であり、そのうち、３０１、３０２は、選択的に現れても良い。以下、図３をもとに、実施方式１における端末装置の対応する部分が如何にワーキングするかを説明する。
【００４５】
方法１では、端末装置の上位層がＶ２Ｘサービスのデータパケット（ｄａｔａ  ｐａｃｋｅｔ（ｓ））及び該Ｖ２Ｘサービスのデータパケットに対応する送信モードを指示する。該送信モードは、パケットフィルタ（ｐａｃｋｅｔ  ｆｉｌｔｅｒ）、及び／又はサービスデータ適応プロトコル（Ｓｅｒｖｉｃｅ  Ｄａｔａ  Ａｄａｐｔａｔｉｏｎ  Ｐｒｏｔｏｃｏｌ、ＳＤＡＰ）層、及び／又はパケットデータコンバージェンスプロトコル（ＰＤＣＰ）層に指示することができる。
そのうち、該送信モードをパケットフィルタ（ｐａｃｋｅｔ  ｆｉｌｔｅｒ）に指示する場合、端末装置のパケットフィルタ（ｐａｃｋｅｔ  ｆｉｌｔｅｒ）は、指示される送信モードに基づいて、データパケットをサービス品質フロー（ＱｏＳ  ｆｌｏｗ）にマッピングすることができ、そのうち、１つのサービス品質フローにおけるデータパケットに対応する送信モードが同じである。
【００４６】
以下、まず、該送信モードをパケットフィルタ（ｐａｃｋｅｔ  ｆｉｌｔｅｒ）に指示するケースについて説明する。端末装置の対応する部分のワーキングは以下のとおりである。
【００４７】
ステップ１．１：図３に示すように、端末装置のパケットフィルタ（ｐａｃｋｅｔ  ｆｉｌｔｅｒ）３０１が上位層により指示されるデータパケット及び送信モードに基づいて、該データパケットをサービス品質フロー（ＱｏＳ  ｆｌｏｗ（ｓ））にマッピングすることができ、そのうち、１つのサービス品質フロー（ＱｏＳ  ｆｌｏｗ）の中のデータパケットに対応する送信モードが同じである。これにより、サービス品質フローと送信モードとの間は、対応関係があるようになる。また、パケットフィルタ３０１は更に、該サービス品質フローの送信モードを標識することもできる。
【００４８】
ステップ１．２；端末装置のサービスデータ適応プロトコル（ＳＤＡＰ）層３０２がＱｏＳ  ｆｌｏｗｓをデータ無線ベアラ（ＤＲＢ）にマッピングすることができ、マッピングの結果は、１つのＤＲＢ上のサービス品質フローに対応する送信モードが同じであることであっても良い。よって、ＤＲＢは、送信モードに対応するようになる。
【００４９】
ステップ１．３：端末装置のパケットデータコンバージェンスプロトコル（ＰＤＣＰ）層３０３がＱｏＳ  ｆｌｏｗｓをデータ無線ベアラ（ＤＲＢ）にマッピングすることができ、そのうち、１つのＤＲＢ上のサービス品質フローに対応する送信モードが同じである。よって、ＤＲＢは、送信モードに対応するようになる。なお、ＳＤＡＰ層３０２が選択的に現れるものであるから、上述のステップ１．２も選択的に現れ得る。ステップ１．２が現れる場合、ＳＤＡＰ層３０２により、ＱｏＳ  ｆｌｏｗｓをＤＲＢにマッピングするので、ステップ１．３が無くても良く；また、ステップ１．２が無い場合、ステップ１．３が存在しても良く、ＰＤＣＰ層３０３により、ＱｏＳ  ｆｌｏｗｓをＤＲＢにマッピングすることができる。
【００５０】
ステップ１．４：データ無線ベアラ（ＤＲＢ）の中のデータが、対応する無線リンク制御（ＲＬＣ）チャネルにより無線リンク制御（ＲＬＣ）層３０４に送信され、また、対応する論理チャネル（ＬＣＨ）により、媒体アクセス制御（ＭＡＣ）層３０５に送信される。ＭＡＣ層３０５のＳＤＵが論理チャネル（ＬＣＨ）からである。該過程では、データ無線ベアラ（ＤＲＢ）が論理チャネル（ＬＣＨ）に対応するので、論理チャネル（ＬＣＨ）は送信モードに対応し、且つ論理チャネルからのＭＡＣ層３０５のＳＤＵも送信モードと対応関係を形成することができる。
【００５１】
ステップ１．５：ＭＡＣ層３０５がＳＤＵに対応する送信モードに基づいてＰＤＵを構成することで、ＰＤＵに含まれるＳＤＵに対応する送信モードがすべて同じであるようにさせることができ、図２のステップ２０１に示すようである。また、ＭＡＣ層３０５は更に、ＰＤＵ（即ち、伝送ブロック）を物理層３０６に送信し、また、ＰＤＵ（即ち、伝送ブロック）に対応する送信モードを物理層３０６に通知することができる。
【００５２】
また、上述のステップ１．１−ステップ１．５に関しては、以下のような具体例がある。
【００５３】
例えば、端末装置の上位層は、Ｖ２Ｘサービスのデータパケットｐａｃｋｅｔ１／２／３／４がユニキャスト送信であり、ｐａｃｋｅｔ５／６がグループキャスト送信であることを指示する。パケットフィルタ（ｐａｃｋｅｔ  ｆｉｌｔｅｒ）３０１では、ｐａｃｋｅｔ１／２をＱｏＳ  ｆｌｏｗ１（対応する送信モードはユニキャストである）にマッピングし、ｐａｃｋｅｔ３をＱｏＳ  ｆｌｏｗ２（対応する送信モードはユニキャストである）にマッピングし、ｐａｃｋｅｔ４をＱｏＳ  ｆｌｏｗ３（対応する送信モードはユニキャストである）にマッピングし、ｐａｃｋｅｔ５／６をＱｏＳ  ｆｌｏｗ４（対応する送信モードはグループキャストである）にマッピングすることができる。端末装置のＳＤＡＰ層３０２では、ＱｏＳ  ｆｌｏｗ１／２をデータ無線ベアラＤＲＢ１（対応する送信モードはユニキャストである）にマッピングし、ＱｏＳ  ｆｌｏｗ３をＤＲＢ２（対応する送信モードはユニキャストである）にマッピングに、ＱｏＳ  ｆｌｏｗ４をＤＲＢ３（対応する送信モードはグループキャストである）にマッピングすることができる。このように、ＤＲＢ１、ＤＲＢ２及びＤＲＢ３に対応する論理チャネルに対応する送信モードは、それぞれ、ユニキャスト、ユニキャスト及びグループキャストであるようになる。ＭＡＣ層３０５が論理チャネル優先度処理を行い、生成するＭＡＣ  ＰＤＵには、ＤＲＢ１及びＤＲＢ２に対応する論理チャネルのデータが含まれ、即ち、ＭＡＣ  ＳＤＵは、ＤＲＢ１及びＤＲＢ２に対応する論理チャネル（対応する送信モードはユニキャストである）からである。このような場合、ＭＡＣ  ＰＤＵに対応する送信モードはユニキャストであり；又は、生成するＭＡＣ  ＰＤＵには、ＤＲＢ３に対応する論理チャネルのデータが含まれ、即ち、ＭＡＣ  ＳＤＵは、ＤＲＢ３に対応する論理チャネル（対応する送信モードはグループキャストである）からである。このような場合、ＭＡＣ  ＰＤＵに対応する送信モードはグループキャストである。ＭＡＣ層３０５はＭＡＣ  ＰＤＵに対応する送信モードを物理層３０６に通知し、また、ＭＡＣ  ＰＤＵを物理層３０６に、物理層３０６の後続の処理に供するために送信し、例えば、物理層３０６はＭＡＣ  ＰＤＵを処理し、送信待ちのデータを生成し、該送信待ちのデータは該送信モードに対応し、即ち、該送信待ちのデータは、該送信モードで送信され得る。
【００５４】
以上、実施方式１の方法１において該送信モードがパケットフィルタ（ｐａｃｋｅｔ  ｆｉｌｔｅｒ）に指示される場合について説明した。
【００５５】
該送信モードがＳＤＡＰ層３０２に指示される場合、該サービスデータ適応プロトコル（ＳＤＡＰ）層は指示される送信モードに基づいて、サービス品質フロー又はＶ２Ｘサービスのデータパケットをデータ無線ベアラ（ＤＲＢ）にマッピングし、そのうち、１つのＤＲＢ上のサービス品質フロー又はＶ２Ｘサービスのデータパケットに対応する送信モードが同じである。なお、ＰＤＣＰ層３０３、ＲＬＣ層３０４、及びＭＡＣ層３０５の処理については、上述のステップ１．３、ステップ１．４、及びステップ１．５の説明を参照することができる。
【００５６】
該送信モードが端末装置のパケットデータコンバージェンスプロトコル（ＰＤＣＰ）層３０３に指示される場合、該パケットデータコンバージェンスプロトコル（ＰＤＣＰ）層は指示される送信モードに基づいて、サービス品質フロー又はＶ２Ｘサービスのデータパケットをデータ無線ベアラ（ＤＲＢ）にマッピングし、そのうち、１つのＤＲＢ上のサービス品質フロー又はＶ２Ｘサービスのデータパケットに対応する送信モードが同じである。なお、ＲＬＣ層３０４及びＭＡＣ層３０５の処理については、上述のステップ１．４及びステップ１．５の説明を参照することができる。
【００５７】
実施方式１の方法２では、該端末装置の非アクセス（ＮＡＳ）層のパケットフィルタ（ｐａｃｋｅｔ  ｆｉｌｔｅｒ）３０１により、サービス品質フローにおけるデータに対応する送信モードを決定する。
【００５８】
例えば、端末装置のパケットフィルタ（ｐａｃｋｅｔ  ｆｉｌｔｅｒ）はＶ２Ｘサービスのデータパケットをサービス品質フロー（ＱｏＳ  ｆｌｏｗ）にマッピングし、そのうち、１つのサービス品質フローの中のデータパケットに対応する送信モードが同じであり、且つ、パケットフィルタは１つのサービス品質フローに対応する送信モードを決定する。また、該パケットフィルタは更に、該送信モードをＳＤＡＰに通知することができる。なお、ＳＤＡＰ層３０２、ＰＤＣＰ層３０３、ＲＬＣ層３０４、及びＭＡＣ層３０５の処理については、上述のステップ１．２、ステップ１．３、ステップ１．４、及びステップ１．５の説明を参照することができる。
【００５９】
実施方式２：該端末装置のアクセス層が該送信モードを決定する。
【００６０】
本実施例では、端末装置のアクセス（ＡＳ）層はＳＤＡＰ層３０２、ＰＤＣＰ層３０３、ＲＬＣ層３０４、及びＭＡＣ層３０５を含んでも良い。実施方式２では、ＳＤＡＰ層３０２、ＰＤＣＰ層３０３、ＲＬＣ層３０４、又はＭＡＣ層３０５により、該送信モードを決定することができる。
【００６１】
ＳＤＡＰ層３０２により送信モードを決定する場合、サービスデータ適応プロトコル（ＳＤＡＰ）層は、ＱｏＳ  ｆｌｏｗ又はＶ２Ｘサービスのデータパケットに対応する送信モードを決定し、そして、前記ＱｏＳ  ｆｌｏｗ又は前記Ｖ２Ｘサービスのデータパケットをデータ無線ベアラ（ＤＲＢ）にマッピングすることができ、そのうち、１つのＤＲＢ上の前記ＱｏＳ  ｆｌｏｗ又は前記Ｖ２Ｘサービスのデータパケットに対応する送信モードが同じであり；あるいは、前記サービスデータ適応プロトコル（ＳＤＡＰ）層は、前記ＱｏＳ  ｆｌｏｗ又は前記Ｖ２Ｘサービスのデータパケットをデータ無線ベアラ（ＤＲＢ）にマッピングし、また、該ＤＲＢに対応する前記送信モードを確定する。
【００６２】
例えば、Ｖ２Ｘサービスのｄａｔａ  ｐａｃｋｅｔ（ｓ）は、Ｐａｃｋｅｔ  ｆｉｌｔｅｒ層３０１によりＱｏＳ  ｆｌｏｗｓにマッピングされる。ＳＤＡＰ層３０２は、ＱｏＳ  ｆｌｏｗに対応する送信モードを決定し、そして、ＱｏＳ  ｆｌｏｗをＤＲＢにマッピングし、１つのＤＲＢに対応するＱｏＳ  ｆｌｏｗに対応する送信モードがすべて同じであるようにさせ；あるいは、ＳＤＡＰ層３０２は、ＱｏＳ  ｆｌｏｗをＤＲＢにマッピングし、且つ、ＳＤＡＰ層は、ＤＲＢに対応する送信モードを決定する。なお、ＰＤＣＰ層３０３、ＲＬＣ層３０４、及びＭＡＣ層３０５の処理については、上述のステップ１．３、ステップ１．４、及びステップ１．５の説明を参照することができる。
【００６３】
ＰＤＣＰ層３０３により送信モードを決定する場合、パケットデータコンバージェンスプロトコル（ＰＤＣＰ）層は、ＤＲＢに対応する送信モード、又はＤＲＢに対応する無線リンク制御チャネル（ＲＬＣ  ｃｈａｎｎｅｌ）又はＤＲＢに対応する論理チャネルに対応する送信モードを決定する。
【００６４】
例えば、Ｖ２Ｘサービスのｄａｔａ  ｐａｃｋｅｔ（ｓ）は、Ｐａｃｋｅｔ  ｆｉｌｔｅｒ層３０１によりＱｏＳ  ｆｌｏｗｓにマッピングされ、ＳＤＡＰ層３０２は、ＱｏＳ  ｆｌｏｗをＤＲＢにマッピングし、ＰＤＣＰ層３０３は、ＤＲＢに対応する送信モード、又はＤＲＢに対応するＲＬＣ  ｃｈａｎｎｅｌ又はＤＲＢに対応する論理チャネルに対応する送信モードを決定する。なお、ＲＬＣ層３０４及びＭＡＣ層３０５の処理については、上述のステップ１．４、及びステップ１．５の説明を参照することができる。
【００６５】
ＲＬＣ層３０４により送信モードを決定する場合、無線リンク制御（ＲＬＣ）層３０４は、無線リンク制御チャネル（ＲＬＣ  ｃｈａｎｎｅｌ）に対応する送信モード又は論理チャネルに対応する送信モードを決定する。
【００６６】
例えば、Ｖ２Ｘサービスのｄａｔａ  ｐａｃｋｅｔ（ｓ）は、Ｐａｃｋｅｔ  ｆｉｌｔｅｒ層３０１によりＱｏＳ  ｆｌｏｗｓにマッピングされ、ＳＤＡＰ層３０２は、ＱｏＳ  ｆｌｏｗをＤＲＢにマッピングし、ＲＬＣ層３０４は、ＤＲＢに対応するＲＬＣチャネルに対応する送信モード又は論理チャネルに対応する送信モードを決定する。なお、ＭＡＣ層３０５の処理については、上述のステップ１．５の説明を参照することができる。
【００６７】
ＭＡＣ層３０５により送信モードを決定する場合、媒体アクセス制御（ＭＡＣ）層３０５は、論理チャネル（ｌｏｇｉｃ  ｃｈａｎｎｅｌ）に対応する送信モード又はＭＡＣ  ＰＤＵの送信モードを決定する。
【００６８】
例えば、Ｖ２Ｘサービスのｄａｔａ  ｐａｃｋｅｔ（ｓ）は、Ｐａｃｋｅｔ  ｆｉｌｔｅｒ層３０１によりＱｏＳ  ｆｌｏｗｓにマッピングされ、ＳＤＡＰ層３０２は、ＱｏＳ  ｆｌｏｗをＤＲＢにマッピングし、ＤＲＢに対応する論理チャネルのデータは、ＭＡＣ層にＭＡＣ  ＳＤＵとして送信され、ＭＡＣ層は、論理チャネル優先度処理を経て、ＭＡＣ  ＳＤＵを含むＭＡＣ  ＰＤＵを生成する。ＭＡＣ層３０５は、論理チャネル（ｌｏｇｉｃ  ｃｈａｎｎｅｌ）に対応する送信モード又はＭＡＣ  ＰＤＵに対応する送信モードを決定する。また、ＭＡＣ層３０５は、ＭＡＣ  ＰＤＵ及びその対応する送信モードを物理層３０６に通知することができる。
【００６９】
本実施例の上述の実施方式一及び実施方式二では、端末装置により送信モードを決定し、端末装置の各層は少なくとも１つの方法により送信モードを知ることができる。
【００７０】
１つの例において、送信モードを知る方法は、端末装置の上位層から下位層に前記送信モードを通知しても良く、例えば、ＳＤＡＰ層がＰＤＣＰ層にＤＲＢに対応する送信モードを通知し、及び／又はＰＤＣＰ層がＲＬＣ層にＲＬＣチャネルに対応する送信モードを通知し、及び／又はＲＬＣがＭＡＣに論理チャネルに関する送信モードを通知し、また、クロスレイヤーで通知しても良く、例えば、ＰＤＣＰ層が直接、ＭＡＣ層に論理チャネルに関する送信モードを通知することができる。
【００７１】
もう１つの例において、送信モードを知る方法は、端末装置がＶ２Ｘサービスデータパケット、及び／又はサービス品質フロー（ＱｏＳ  ｆｌｏｗ）、及び／又はデータ無線ベアラ（ＤＲＢ）、及び／又は無線リンク制御（ＲＬＣ）チャネル、及び／又は論理チャネルに対応する送信モードを標識しても良く、例えば、Ｖ２Ｘサービスデータパケット及び／又はサービス品質フロー及び／又はデータ無線ベアラの送信モードを標識し、各層は、ｆｌｏｗ／ＤＲＢ／ＲＬＣ／論理チャネルの送信モードを読み取ることができる。
【００７２】
本実施例の上述の実施方式１及び実施方式２では、端末装置が送信モードを決定するので、端末装置は、該送信モードをネットワーク装置に通知し、これにより、ネットワーク装置は、適切なｓｉｄｅｌｉｎｋリソースを、データを送信するために割り当てることができ、例えば、端末装置がネットワークのカバレッジ内にあるときに、ネットワーク装置は、適切なｓｉｄｅｌｉｎｋリソースをデータの送信のために割り当てることができる。
【００７３】
そのうち、端末装置は、サイドリンク端末装置情報（ｓｉｄｅｌｉｎｋ  ＵＥ  ｉｎｆｏｒｍａｔｉｏｎ）無線リソース制御（ＲＲＣ）メッセージ、又はサイドリンク（ｓｉｄｅｌｉｎｋ）バッファ状態報告（ＢＳＲ）により、該送信モードをネットワーク装置に通知しても良く、あるいは、スケジューリング要求（Ｓｃｈｅｄｕｌｉｎｇ  ｒｅｑｕｅｓｔ、ＳＲ）により該送信モードをネットワーク装置に通知しても良い。
【００７４】
例えば、端末装置がサイドリンク端末装置情報（ｓｉｄｅｌｉｎｋ  ＵＥ  ｉｎｆｏｒｍａｔｉｏｎ）ＲＲＣメッセージにより送信モードをネットワーク装置に通知する場合、該ＲＲＣメッセージには、ＵＥのＶ２Ｘサービス、及び／又はＱｏＳ  ｆｌｏｗ、及び／又はＤＲＢ、及び／又は論理チャネルに対応する送信モードが含まれる。
【００７５】
端末装置がＢＳＲにより送信モードをネットワーク装置に通知する場合、該ＢＳＲには、論理チャネル及び／又は論理チャネルグループに対応する送信モードが含まれる。
【００７６】
端末装置がＳＲにより送信モードをネットワーク装置に通知する場合、該ＳＲには、該ＳＲに対応する論理チャネルに対応する送信モードが含まれ、又は、該ＳＲには、論理チャネル標識（ＩＤ）及び該論理チャネルに対応する送信モードが含まれる。
【００７７】
これに対応して、ネットワーク装置は、端末装置の送信モードの通知メッセージを受信したときに、ＵＥのために、該送信モードに適したサイドリンクリソースプール（ｓｉｄｅｌｉｎｋ  ｒｅｓｏｕｒｃｅ  ｐｏｏｌ）及び／又はサイドリンクスケジューリング割り当て（ｓｉｄｅｌｉｎｋ  ｇｒａｎｔ）を割り当てることができる。
【００７８】
実施方式３：端末装置が該送信モードを設定又は指示するための指示情報に基づいて該送信モードを設定する。
【００７９】
実施方式３では、該指示情報がネットワーク装置により提供されても良く、該ネットワーク装置は、コアネットワークのネットワーク装置、又はアクセスネットワークのネットワーク装置であっても良く、該指示情報は、該端末装置に事前設定されても良く、また、該指示情報は、路側ユニット（ＲＳＵ）により該端末装置に提供されても良い。
【００８０】
実施方式３では、該指示情報がコアネットワークのネットワーク装置により提供される場合、端末装置は、専用ＲＲＣシグナリング又はシステム情報により該指示情報を受信することができる。
【００８１】
コアネットワークのネットワーク装置が提供する指示情報は、サイドリンク上のｄａｔａ  ｐａｃｋｅｔｓ及び／又はＱｏＳ  ｆｌｏｗｓに対応する送信モードを設定するために用いられる。
【００８２】
該指示情報は、１つ又は複数のサイドリンク上のＶ２Ｘサービスのデータパケットがそれぞれ採用する送信モードの設定（例えば、Ｖ２Ｘサービス類型についてその送信モードを指示する）を含み、又は、１つ又は複数のＱｏＳ  ｆｌｏｗの送信モードの設定（該設定は、ＱｏＳ  ｆｌｏｗ  ＩＤ及びそれに対応する送信モードを含む）を含む。
【００８３】
例えば、端末装置がコアネットワークのネットワーク装置のカバレッジ内にある場合、端末装置は、該指示情報を受信した後に、該指示情報に基づいてサイドリンク上のｄａｔａ  ｐａｃｋｅｔｓ及び／又はＱｏＳ  ｆｌｏｗｓに対応する送信モードを設定することができる。なお、該送信モードが設定された後に、端末装置の各層のビヘイビア（ｂｅｈａｖｉｏｒ）については、実施方式１の中の説明を参照することができる。
【００８４】
実施方式３では、該指示情報がアクセスネットワークのネットワーク装置により提供される場合、端末装置は、専用ＲＲＣシグナリング又はシステム情報又はＭＡＣ制御シグナリング又は物理層制御シグナリングにより該指示情報を受信することができる。
【００８５】
端末装置が専用ＲＲＣシグナリング又はシステム情報により該指示情報を受信する場合、該指示情報は、サイドリンク上のＤＲＢ、及び／又はＲＬＣチャネル、及び／又は論理チャネルに対応する送信モードを設定するために用いられる。該指示情報は、サイドリンク上のＤＲＢ標識（ＩＤ）及び／又はＲＬＣチャネル標識及び／又は論理チャネル標識及びそれに対応する送信モードを含む。
【００８６】
例えば、端末装置がアクセスネットワークのネットワーク装置のカバレッジ内にある場合、端末装置は、該指示情報を受信した後に、該指示情報に基づいてサイドリンク上のＤＲＢ、及び／又はＲＬＣチャネル、及び／又は論理チャネルの送信モードを設定することができる。なお、該送信モードが設定された後に、端末装置の各層のビヘイビアについては、実施方式２の中の説明を参照することができる。
【００８７】
端末装置がＭＡＣ制御シグナリングにより該指示情報を受信する場合、該指示情報は、サイドリンク上の論理チャネル又は論理チャネルグループに対応する送信モードを設定することができる。該指示情報は、サイドリンク上の論理チャネル標識又は論理チャネルグループ標識及びそれに対応する送信モードを含み、又は、該指示情報は、１つのビットマップファイル（ｂｉｔｍａｐ）を、端末装置に、該ＭＡＣ  ＣＥにどのような論理チャネル又は論理チャネルグループに対応する送信モードが含まれるか、及び含まれる論理チャネル又は論理チャネルグループに対応する送信モードを指示するために含む。
【００８８】
端末装置が物理層制御シグナリングにより該指示情報を受信する場合、該指示情報は、スケジューリングされるサイドリンクデータに対応する送信モード、例えば、スケジューリングされるサイドリンクＭＡＣ  ＰＤＵ（即ち、伝送ブロック）に対応する送信モードを含んでも良い。
【００８９】
例えば、該指示情報は下りリンク制御情報（ＤＣＩ）に含まれても良く、例えば、サイドリンクグラント（ｓｉｄｅｌｉｎｋ  ｇｒａｎｔ）に含まれても良く、該指示情報は、今回又はＮ（Ｎは正の整数である）回スケジューリングされるサイドリンクデータに対応する送信モードを指示することができ、例えば、今回又はＮ回スケジューリングされるサイドリンクＭＡＣ  ＰＤＵ（即ち、伝送ブロック）に対応する送信モードを指示することができ、該端末装置は、該指示情報に基づいて、今回又はＮ回送信する必要のあるサイドリンクデータに対応する送信モードがブロードキャスト、グループキャスト又はユニキャストであると設定することができ、例えば、今回又はＮ回送信する必要のあるサイドリンクＭＡＣ  ＰＤＵ（即ち、伝送ブロック）に対応する送信モードがブロードキャスト、グループキャスト又はユニキャストであると設定することができる。そのうち、Ｎ回は、今回及び今回以後の何回かを含む。
【００９０】
実施方式３では、事前設定の指示情報は、サイドリンク上のｄａｔａ  ｐａｃｋｅｔｓ、及び／又はＱｏＳ  ｆｌｏｗｓ、及び／又はＤＲＢ、及び／又はＲＬＣチャネル、及び／又は論理チャネルに対応する送信モードを設定するために用いられる。
【００９１】
例えば、端末装置は、該事前設定の指示情報に基づいて、サイドリンク上のＤＲＢ、及び／又はＲＬＣチャネル、及び／又は論理チャネルの送信モードを設定することができる。なお、該送信モードが設定された後に、端末装置の各層のビヘイビアについては、実施方式１又は２の中の説明を参照することができる。
【００９２】
本実施例のステップ２０３では、実施方式１及び実施方式２に基づいて、端末装置の上位層又はアクセス層により該送信モードを決定する。以下、実施方式１及び実施方式２において端末装置が送信モードを決定する基礎（ｂａｓｉｓ）について説明する。
【００９３】
本実施例では、端末装置の上位層又はアクセス層は、送信待ちデータのＱｏＳ特性、及び／又はＱｏＳ等級指示、及び／又はデータが送信される目的端末装置、及び／又はデータに含まれる情報の内容、及び／又は前記端末装置の地理的位置に基づいて、該データに対応する送信モードを決定することができる。
【００９４】
本実施例では、ＱｏＳ特性は、データの優先度、及び／又はデータの遅延、及び／又はデータの信頼性、及び／又はデータのデータレート、及び／又はデータの通信範囲を含む。
【００９５】
例えば、優先度が第一閾値よりも高い優先度のデータの送信モードは、ユニキャスト又はグループキャストであっても良く、優先度が第二閾値よりも低い優先度の送信モードは、ブロードキャストであっても良く、遅延要件が第三閾値よりも高い遅延要件のデータの送信モードは、ユニキャスト又はグループキャストであっても良く、遅延要件が第四閾値よりも低い遅延要件のデータの送信モードは、ブロードキャストであっても良く；信頼性要件が第五閾値よりも高い信頼性要件のデータの送信モードは、ユニキャスト又はグループキャストであっても良く、信頼性要件が第六閾値よりも低い信頼性要件のデータの送信モードは、ブロードキャストであっても良く、データレートが第七閾値よりも高いデータレートのデータの送信モードは、ブロードキャストであっても良く、データレートが第八閾値よりも高いデータレートのデータの送信モードは、、ユニキャストであっても良く；通信範囲が第九閾値よりも小さい通信範囲のデータの送信モードは、ユニキャストであっても良く、通信範囲が第十閾値よりも大きい通信範囲のデータの送信モードは、グループキャスト又はブロードキャストであっても良い。
【００９６】
本実施例では、データのＱｏＳ等級指示と送信モードとの間にはマッピング関係があっても良い。これにより、ＱｏＳ等級指示に基づいて送信モードを決定することができる。そのうち、データのＱｏＳ等級指示は、２つ以上のＱｏＳ特性の値に対応しても良く、例えば、ＱｏＳ等級指示が１つの等級であるときに、該等級指示は、複数のＱｏＳ特性のそれぞれの第一値に対応し、ＱｏＳ等級指示がもう１つの等級であるときに、該等級指示は、複数のＱｏＳ特性のそれぞれの第二値に対応する。そのうち、１つのＱｏＳ特性は、データの優先度、又はデータの遅延、又はデータの信頼性、又はデータのデータレート、又はデータの通信範囲などを含む。
【００９７】
本実施例では、送信待ちデータが送信される目的端末装置に基づいて該データの送信モードを決定することは、例えば、或るグループにおいて、メンバーとしての端末装置が他のメンバーとしての他の端末装置に送信するデータがグループキャストを採用して送信され、メンバーとしての特定の端末装置又はグループヘッド（ｇｒｏｕｐ  ｈｅａｄ）としての端末装置に送信するデータがユニキャストを採用して送信され、グループ内及びグループ外の端末装置に送信するデータがブロードキャストを採用して送信されることであっても良い。
【００９８】
本実施例では、データに含まれる情報の内容は、道路事情、及び／又は環境、及び／又は事故情報含み；又は、サービスルクエスト、及び／又はフィードバックを含み；又は、グループ共通情報を含む。データに含まれる情報の内容に基づいて、データが採用する送信モードを決定することは、例えば、道路事情、環境、事故などの情報を含むデータの送信モードがブロードキャストであり；サービスルクエスト、フィードバックなどを含むデータの送信モードがユニキャストであり；グループ共通情報を含むデータの送信モードがグループキャストであることであって良く、そのうち、グループ共通情報は、例えば、グループの安全情報及び／又は車隊通知情報などであっても良い。
【００９９】
本実施例では、端末装置の地理的位置に基づいて、該データに対応する送信モードを決定することは、例えば、端末装置の地理的位置が区域Ａの中にあるときに、データの送信モードがグループキャストであり、端末装置の地理的位置が区域Ｂの中にあるときに、データの送信モードがユニキャストであることなどであっても良い。
【０１００】
本実施例では、送信待ちのデータの特徴に基づいて、適切なユニキャスト、グループキャスト又はブロードキャストの送信モードを使用することができ、これは、データ伝送がそのＱｏＳを満たし又は特定の目的地に送信されることに有利であり、また、比較的高い無線リソース利用率を確報することができる。
【０１０１】
また、本実施例のステップ２０３では、端末装置が指示情報に基づいて送信モードを生成する実施方式３において、該指示情報が指示する送信モードは、上述の基礎に基づいて決定されても良い。例えば、コアネットワークのネットワーク装置、アクセスネットワークのネットワーク装置又は路側ユニットは、送信待ちデータのＱｏＳ特性、及び／又はＱｏＳ等級指示、及び／又はデータが送信される目的端末装置、及び／又はデータに含まれる情報の内容、及び／又は端末装置の地理的位置に基づいて、該送信待ちデータに対応する送信モードを決定し、そして、該送信モードを指示情報により端末装置に指示し；又は、端末装置に事前設定される指示情報においても、送信待ちデータのＱｏＳ特性、及び／又はＱｏＳ等級指示、及び／又はデータが送信される目的端末装置、及び／又はデータに含まれる情報の内容、及び／又は端末装置の地理的位置に基づいて、該送信待ちデータに対応する送信モードを決定する。
【０１０２】
本実施例によれば、端末装置の媒体アクセス層が、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるため、物理層は、対応する送信モードでデータを送信することができる。また、本実施例では、該端末装置が該送信モードを決定し又は指示情報に基づいて設定し、端末装置の各層がその対応する処理を行うので、実現は簡単である。
【実施例２】
【０１０３】
本実施例２ではデータ送信方法が提供され、該方法はネットワーク装置により実行される。
【０１０４】
図４は、本発明の実施例２の１つの実施方式におけるデータ送信方法を示す図である。該実施例２の該実施方式は、実施例１におけるステップ２０３の実施方式３に対応する。図４に示すように、該方法は以下のステップを含む。
【０１０５】
ステップ４０１：ネットワーク装置が、端末装置のデータの送信モードを設定又は指示するための指示情報を生成し；及び
ステップ４０２：前記ネットワーク装置が前記端末装置に前記指示情報を送信する。
【０１０６】
本実施例では、該送信モードは、ユニキャスト、グループキャスト又はブロードキャストを含む。
【０１０７】
本実施例では、該ネットワーク装置は、コアネットワークのネットワーク装置又はアクセスネットワークのネットワーク装置であっても良い。
【０１０８】
本実施例では、該ネットワーク装置がコアネットワークのネットワーク装置であるときに、該ネットワーク装置送信の該指示情報は、端末装置のサイドリンク上のｄａｔａ  ｐａｃｋｅｔｓ及び／又はＱｏＳ  ｆｌｏｗｓに対応する送信モードを設定するために用いられる。
【０１０９】
本実施例では、該ネットワーク装置がアクセスネットワークのネットワーク装置であるときに、該アクセスネットワークのネットワーク装置送信の指示情報は、端末装置のサイドリンク上のＤＲＢ、及び／又はＲＬＣチャネル、及び／又は論理チャネルの送信モードを設定するために用いられる。
【０１１０】
本実施例では、該ネットワーク装置がアクセスネットワークのネットワーク装置であるときに、該アクセスネットワークのネットワーク装置送信の指示情報は、スケジューリングされるサイドリンクデータに対応する送信モードを含んでも良い。
【０１１１】
本実施例では、ネットワーク装置は、端末装置がクルマ通信サービスを行うときのデータの送信モードを設定又は指示し、該端末装置は、該指示情報に基づいて送信モードを設定し、また、該設定した送信モードでクルマ通信サービスのデータを送信することができる。
【０１１２】
図５は、本発明の実施例２のもう１つの実施方式におけるデータ送信方法を示す図である。該もう１つの実施方式は、実施例１におけるステップ２０３の実施方式１及び実施方式２に対応する。図５に示すように、該方法は以下のステップを含む。
【０１１３】
ステップ５０１：ネットワーク装置が端末装置送信の前記端末装置のデータの送信モードの通知を受信する。
【０１１４】
ステップ５０１では、該ネットワーク装置は、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又はサイドリンク（ｓｉｄｅｌｉｎｋ）バッファ状態報告（ＢＳＲ）、又はスケジューリング要求（Ｓｃｈｅｄｕｌｉｎｇ  ｒｅｑｕｅｓｔ、ＳＲ）により該通知を受信することができる。
【０１１５】
本実施例では、図４の実施方式に記載の指示情報において、又は、図５の実施方式に記載の受信した該通知において、送信モードは、送信待ちデータのＱｏＳ特性、及び／又はＱｏＳ等級指示、及び／又は前記データが送信される目的端末装置、及び／又は前記データに含まれる情報の内容、及び／又は前記端末装置の地理的位置に基づいて決定され得る。
【０１１６】
そのうち、ＱｏＳ特性は、データの優先度、及び／又はデータの遅延、及び／又はデータの信頼性、及び／又はデータのデータレート、及び／又はデータの通信範囲を含み；データに含まれる情報の内容は、道路事情、及び／又は環境、及び／又は事故情報を含み；又は、サービスルクエスト、及び／又はフィードバックを含み；又は、グループ共通情報を含む。
【０１１７】
また、ステップ５０１と図４を組み合わせても良く、即ち、図４の方法には、ステップ４０１、ステップ４０２、及びステップ５０１が含まれても良い。
【０１１８】
本実施例によれば、物理層は、対応する送信モードでデータを送信することができ；また、送信待ちのデータの特徴に基づいて適切なユニキャスト、グループキャスト又はブロードキャストの送信モードを使用することができる。これは、データ伝送がそのＱｏＳを満たし又は特定の目的地に送信されることに有利であり、また、比較的高い無線リソース利用率を確報することができる。
【実施例３】
【０１１９】
本実施例３ではクルマ通信サービスのデータ送信装置が提供され、それは端末装置に設置される。該装置が問題を解決する原理が実施例１における方法と類似しているから、その具体的な実施については実施例１における方法の実施を参照することができ、ここでは内容が同じである重複説明が省略される。
【０１２０】
図６は、実施例３におけるクルマ通信サービスのデータ送信装置を示す図である。図６に示すように、該装置６００は以下のものを含む。
【０１２１】
第一生成ユニット６０１：前記端末装置の媒体アクセス制御（ＭＡＣ）層に設定され、前記生成ユニットは、１つのプロトコルデータユニット（ＰＤＵ）に含まれるサービスデータユニット（ＳＤＵ）に対応する送信モードが同じである方式で、少なくとも１つのＰＤＵを生成し；及び
第一送信ユニット６０２：前記ＭＡＣ層に設置され、前記ＰＤＵを前記端末装置の物理層に送信し、また、前記ＰＤＵに対応する前記送信モードを前記物理層に通知するために用いられる。
【０１２２】
本実施例では、該送信モードは、ユニキャスト、グループキャスト又はブロードキャストを含む。
【０１２３】
図６に示すように、該装置６００は更に以下のものを含む。
【０１２４】
第一決定ユニット６０３：端末装置の上位層に設置され、送信モードを決定するために用いられる。
【０１２５】
実施方式１において、第一決定ユニット６０３は、Ｖ２Ｘサービスのデータパケット（ｄａｔａ  ｐａｃｋｅｔ（ｓ））及び前記Ｖ２Ｘサービスのデータパケットに対応する送信モードを指示する。
【０１２６】
実施方式１において、図６に示すように、装置６００は更に以下のものを含む。
【０１２７】
第一マッピングユニット６０４：前記端末装置のパケットフィルタ（ｐａｃｋｅｔ  ｆｉｌｔｅｒ）に設置され、前記第一マッピングユニットは、前記データパケットをサービス品質フロー（ＱｏＳ  ｆｌｏｗ）にマッピングし、そのうち、１つのサービス品質フローの中のデータパケットに対応する送信モードが同じである。
【０１２８】
実施方式１において、図６に示すように、前記装置６００は更に以下のものを含む。
【０１２９】
第二マッピングユニット６０５：前記端末装置のサービスデータ適応プロトコル（ＳＤＡＰ）層に設置され、前記第二マッピングユニットは、サービス品質フロー又は前記Ｖ２Ｘサービスのデータパケットをデータ無線ベアラ（ＤＲＢ）にマッピングし、そのうち、１つのＤＲＢ上の前記サービス品質フロー又は前記Ｖ２Ｘサービスのデータパケットに対応する送信モードが同じである。
【０１３０】
実施方式１において、図６に示すように、前記装置６００は更に以下のものを含む。
【０１３１】
第三マッピングユニット６０６：前記端末装置のパケットデータコンバージェンスプロトコル（ＰＤＣＰ）層に設置され、前記第三マッピングユニットは、サービス品質フロー又は前記Ｖ２Ｘサービスデータパケットをデータ無線ベアラ（ＤＲＢ）にマッピングし、そのうち、１つのＤＲＢ上の前記サービス品質フロー又は前記Ｖ２Ｘサービスのデータパケットに対応する送信モードが同じである。
【０１３２】
実施方式１において、第一決定ユニット６０３は、パケットフィルタに設置される。そのうち、パケットフィルタ（ｐａｃｋｅｔ  ｆｉｌｔｅｒ）は、データパケットをサービス品質フロー（ＱｏＳ  ｆｌｏｗ）にマッピングし、そのうち、１つのサービス品質フロー中のデータパケットに対応する送信モードが同じであり、且つ前記サービス品質フローに対応する送信モードは前記第一決定ユニットにより決定される。
【０１３３】
実施方式２において、図６に示すように、前記装置６００は更に以下のものを含む。
【０１３４】
第二決定ユニット６０７：前記端末装置のアクセス（ＡＳ）層に設置され、前記送信モードを決定するために用いられる。
【０１３５】
そのうち、第二決定ユニット６０７は、前記端末装置のサービスデータ適応プロトコル（ＳＤＡＰ）層、パケットデータコンバージェンスプロトコル（ＰＤＣＰ）層、無線リンク制御（ＲＬＣ）層、又は媒体アクセス制御（ＭＡＣ）層に設置され、且つ、前記第二決定ユニットは、前記送信モードを決定する。
【０１３６】
例えば、前記第二決定ユニット６０７は、前記サービスデータ適応プロトコル（ＳＤＡＰ）層に設置され、前記第二決定ユニットは、ＱｏＳ  ｆｌｏｗ又はＶ２Ｘサービスのデータパケットに対応する前記送信モードを決定し、且つ、前記サービスデータ適応プロトコル（ＳＤＡＰ）層は、前記ＱｏＳ  ｆｌｏｗ又は前記Ｖ２Ｘサービスのデータパケットをデータ無線ベアラ（ＤＲＢ）にマッピングし、そのうち、１つのＤＲＢ上の前記ＱｏＳ  ｆｌｏｗ又は前記Ｖ２Ｘサービスのデータパケットに対応する送信モードが同じであり；又は、前記サービスデータ適応プロトコル（ＳＤＡＰ）層は、前記ＱｏＳ  ｆｌｏｗ又は前記Ｖ２Ｘサービスのデータパケットをデータ無線ベアラ（ＤＲＢ）にマッピングし、且つ、前記第二決定ユニットは、該ＤＲＢに対応する前記送信モードを決定する。
【０１３７】
また、例えば、前記第二決定ユニット６０７は、前記パケットデータコンバージェンスプロトコル（ＰＤＣＰ）層に設置され、ＤＲＢに対応する前記送信モード、ＤＲＢに対応する無線リンク制御チャネル（ＲＬＣ  ｃｈａｎｎｅｌ）に対応する前記送信モード、又はＤＲＢに対応する論理チャネルに対応する前記送信モードを決定するために用いられる。
【０１３８】
また、例えば、前記第二決定ユニット６０７は、前記無線リンク制御（ＲＬＣ）層に設置され、無線リンク制御チャネル（ＲＬＣ  ｃｈａｎｎｅｌ）に対応する前記送信モード又は論理チャネルに対応する前記送信モードを決定するために用いられる。
【０１３９】
また、例えば、前記第二決定ユニット６０７は、前記媒体アクセス制御（ＭＡＣ）層に設置され、論理チャネル（ｌｏｇｉｃ  ｃｈａｎｎｅｌ）に対応する前記送信モード又はＭＡＣ  ＰＤＵに対応する送信モードを決定するために用いられる。
【０１４０】
実施方式１及び実施方式２において、如図６に示すように、前記装置６００は更に以下のものを含む。
【０１４１】
第二送信ユニット６０８：前記端末装置の上位層に設置され、下位層に前記送信モードを通知するために用いられ；又は
標識ユニット６０９：Ｖ２Ｘサービスのデータパケット、及び／又はサービス品質フロー（ＱｏＳ  ｆｌｏｗ）、及び／又はデータ無線ベアラ（ＤＲＢ）、及び／又は無線リンク制御（ＲＬＣ）チャネル、及び／又は論理チャネルに対応する送信モードを標識するために用いられる。
【０１４２】
実施方式１及び実施方式２において、図６に示すように、前記装置６００は更に以下のものを含む。
【０１４３】
第一通知ユニット６１０：前記送信モードをネットワーク装置に通知するために用いられる。
【０１４４】
そのうち、第一通知ユニット６１０は、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又は、サイドリンク（ｓｉｄｅｌｉｎｋ）バッファ状態報告（ＢＳＲ）、又は、スケジューリング要求（Ｓｃｈｅｄｕｌｉｎｇ  ｒｅｑｕｅｓｔ、ＳＲ）により前記送信モードを前記ネットワーク装置に通知する。
【０１４５】
実施方式３において、図６に示すように、前記装置６００は更に以下のものを含む。
【０１４６】
第一設定ユニット６１１：前記送信モードを設定又は指示するための指示情報に基づいて、前記送信モードを設定し、そのうち、前記指示情報は、コアネットワークのネットワーク装置により提供され、又は、アクセスネットワークのネットワーク装置により提供され、又は、路側ユニット（ＲＳＵ）により提供され、又は、事前設定される。
【０１４７】
そのうち、コアネットワークのネットワーク装置が提供する指示情報は、サイドリンク上のｄａｔａ  ｐａｃｋｅｔｓ及び／又はＱｏＳ  ｆｌｏｗｓに対応する送信モードを設定するために用いられ；前記アクセスネットワークのネットワーク装置が提供する指示情報は、サイドリンク上のＤＲＢ及び／又はＲＬＣチャネル、及び／又は論理チャネルに対応する送信モードを設定するために用いられ；前記アクセスネットワークのネットワーク装置が提供する指示情報は、スケジューリングされるサイドリンクデータの送信モードを含む。
【０１４８】
実施方式３において、事前設定の指示情報は、サイドリンク上のｄａｔａ  ｐａｃｋｅｔｓ、及び／又はＱｏＳ  ｆｌｏｗｓ、及び／又はＤＲＢ、及び／又はＲＬＣチャネル、及び／又は論理チャネルに対応する送信モードを設定するために用いられる。
【０１４９】
本実施例では、送信モードは、送信待ちデータのＱｏＳ特性、及び／又はＱｏＳ等級指示、及び／又は前記データが送信される目的端末装置、及び／又は前記データに含まれる情報の内容、及び／又は前記端末装置の地理的位置に基づいて決定される。
【０１５０】
そのうち、ＱｏＳ特性は、データの優先度、及び／又はデータの遅延、及び／又はデータの信頼性、及び／又はデータのデータレート、及び／又はデータの通信範囲を含み；前記データに含まれる情報の内容は、道路事情、及び／又は環境、及び／又は事故情報を含み；又は、サービスルクエスト、及び／又はフィードバックを含み；又は、グループ共通情報を含む。
【０１５１】
なお、各ユニットの詳細な説明については、実施例１の中の対応するステップについての説明を参照することができ、このでは、その詳しい説明を省略する。
【０１５２】
本実施例によれば、端末装置の媒体アクセス層が、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるため、物理層は、対応する送信モードでデータを送信することができる。また、本実施例では、該端末装置が該送信モードを決定し又は指示情報に基づいて設定し、端末装置の各層が対応する処理を行うため、実現は簡単である。
【実施例４】
【０１５３】
本実施例４ではクルマ通信（Ｖ２Ｘ）サービスのデータ送信装置が提供され、それはネットワーク装置に設置される。該装置が問題を解決する原理が実施例２の方法と類似しているから、その具体的な実施については実施例２の方法の実施を参照することができ、ここでは、内容が同じである重複説明を省略する。
【０１５４】
図７は、本実施例４におけるクルマ通信（Ｖ２Ｘ）サービスのデータ送信装置を示す図である。図７に示すように、装置７００は以下のものを含む。
【０１５５】
第二生成ユニット７０１：端末装置のデータの送信モードを設定又は指示するための指示情報を生成し；及び
第二送信ユニット７０２：前記端末装置に前記指示情報を送信する。
【０１５６】
本実施例では、該ネットワーク装置は、コアネットワークのネットワーク装置又はアクセスネットワークのネットワーク装置である。
【０１５７】
本実施例では、該ネットワーク装置がコアネットワークのネットワーク装置であるときに、前記指示情報は、サイドリンク上のｄａｔａ  ｐａｃｋｅｔｓ及び／又はＱｏＳ  ｆｌｏｗｓの送信モードを設定するために用いられる。
【０１５８】
本実施例では、該ネットワーク装置がアクセスネットワークのネットワーク装置であるときに、前記指示情報は、サイドリンク上のＤＲＢ、及び／又はＲＬＣチャネル、及び／又は論理チャネルの送信モードを設定するために用いられる。
【０１５９】
図７に示すように、装置７００は更に以下のものを含む。
【０１６０】
第一受信ユニット７０３：端末装置送信の前記端末装置のデータの送信モードの通知を受信する。
【０１６１】
そのうち、第一受信ユニットは、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又は、サイドリンク（ｓｉｄｅｌｉｎｋ）バッファ状態報告（ＢＳＲ）、又は、スケジューリング要求（Ｓｃｈｅｄｕｌｉｎｇ  ｒｅｑｕｅｓｔ、ＳＲ）により前記通知を受信する。
【０１６２】
本実施例では、前記第二生成ユニットが生成する前記指示情報において、又は、前記第一受信ユニットが受信する前記通知において、前記送信モードは、送信待ちデータのＱｏＳ特性、及び／又はＱｏＳ等級指示、及び／又は前記データが送信される目的端末装置、及び／又は前記データに含まれる情報の内容、及び／又は前記端末装置の地理的位置に基づいて決定される。
【０１６３】
そのうち、前記ＱｏＳ特性は、データの優先度、及び／又はデータの遅延、及び／又はデータの信頼性、及び／又はデータのデータレート、及び／又はデータの通信範囲を含み、前記データに含まれる情報の内容は、道路事情、及び／又は環境、及び／又は事故情報を含み；又は、サービスルクエスト、及び／又はフィードバックを含み；又は、グループ共通情報を含む。
【０１６４】
なお、本実施例の装置７００には、第一受信ユニット７０３のみがあっても良い。
【０１６５】
本実施例では、各ユニットの説明について実施例２の中の各ステップに関する説明を参照することができる。
【０１６６】
本実施例によれば、物理層は、対応する送信モードでデータを送信することができ；また、送信待ちのデータの特徴に基づいて適切なユニキャスト、グループキャスト又はブロードキャストの送信モードを使用ことができる。これは、データ伝送がそのＱｏＳを満たし又は特定の目的地に送信されることに有利であり、また、比較的高い無線リソース利用率を確保することができる。
【実施例５】
【０１６７】
本実施例５では端末装置が提供され、該装置が問題を解決する原理が実施例１における方法と類似したので、その具体的な実施については実施例１における方法の実施を参照することができ、ここでは内容が同じである重複説明が省略される。
【０１６８】
図８は、本発明の実施例における端末装置の構成図である。図８に示すように、端末装置８００は中央処理器（ＣＰＵ）８０１及び記憶器８０２を含んでも良く、記憶器８０２は中央処理器８０１に接続される。そのうち、該記憶器８０２は各種のデータを記憶可能であり、また、データ処理用のプログラムを記憶することができ、且つ中央処理器８０１の制御下で該プログラムを実行することで、受信したシグナリングに基づいて端末装置に対して指示を行うことができる。
【０１６９】
１つの実施方式において、実施例３における装置６００の機能が端末装置８００の中央処理器８０１に集積されても良い。そのうち、中央処理器８０１は、実施例１に記載のクルマ通信（Ｖ２Ｘ）サービスのデータ送信方法を実現するように構成されても良い。
【０１７０】
例えば、中央処理器８０１は、制御を行って、端末装置８００に、実施例１における方法を実行させるように構成されても良い。
【０１７１】
なお、該中央処理器８０１の他の構成方式については実施例１を参照することができ、ここではその詳しい説明を省略する。
【０１７２】
もう１つの実施方式において、上述の装置６００が中央処理器８０１と別々で設置されても良く、例えば、装置６００を、中央処理器８０１に接続されるチップとして構成し、図８に示すユニットのように、中央処理器８０１の制御により装置６００の機能を実現しても良い。
【０１７３】
本実施例によれば、端末装置の媒体アクセス層が、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるため、物理層は、対応する送信モードでデータを送信することができる。また、本実施例では、該端末装置が該送信モードを決定し又は指示情報に基づいて設定し、端末装置の各層がその対応する処理を行うので、実現は簡単である。
【実施例６】
【０１７４】
本実施例６ではネットワーク装置が提供され、該装置が問題を解決する原理が実施例２の方法と類似しているため、その具体的な実施については実施例２の方法の実施を参照することができ、ここでは、内容が同じである重複説明が省略される。
【０１７５】
図９は、本発明の実施例におけるネットワーク装置の構成図である。図９に示すように、ネットワーク装置９００は中央処理器（ＣＰＵ）９０１及び記憶器９０２を含んでも良く、記憶器９０２は中央処理器９０１に接続される。そのうち、該記憶器９０２は各種のデータを記憶することができ、また、データ処理用のプログラムを更に記憶することができ、且つ中央処理器９０１の制御下で該プログラムを実行することもできる。
【０１７６】
１つの実施方式において、装置５００の機能が中央処理器９０１に統合されても良い。そのうち、中央処理器９０１は、実施例２の方法を実現するように構成されても良い。
【０１７７】
例えば、中央処理器９０１は、制御を行って、ネットワーク装置９００に、実施例２の方法を実行させるように構成されても良い。
【０１７８】
なお、該中央処理器９０１の他の構成方式については実施例２を参照することができ、ここではその詳しい説明を省略する。
【０１７９】
もう１つの実施方式において、上述の装置１０００が中央処理器９０１と別々で設置されても良く、例えば、装置７００を、中央処理器９０１に接続されるチップとして構成し、図９に示すユニットのように、中央処理器９０１の制御により装置７００の機能を実現しても良い。
【０１８０】
また、図９に示すように、ネットワーク装置９００は送受信機９０３、アンテナ９０４などを含んでも良い。そのうち、これらの部品の機能が従来技術と同様であるため、ここではその詳しい説明を省略する。なお、ネットワーク装置９００は、図９に示す全部の部品を含む必要がなく、また、ネットワーク装置９００は、図９に無い部品を含んでも良いが、これについては従来技術を参照することができる。
【０１８１】
本実施例によれば、物理層は、対応する送信モードでデータを送信することができ、また、送信待ちのデータの特徴に基づいて適切なユニキャスト、グループキャスト又はブロードキャストの送信モードを使用することができる。これは、データ伝送がそのＱｏＳを満たし又は特定の目的地に送信されることに有利であり、また、比較的高い無線リソース利用率を確保することができる。
【実施例７】
【０１８２】
本実施例７では供通信システムが提供され、それは、少なくとも実施例５における端末装置８００及び実施例６におけるネットワーク装置９００を含む。なお、実施例５及び実施例６の内容がここに合併され、ここではその詳しい説明を省略する。
【０１８３】
本実施例によれば、端末装置の媒体アクセス層が、１つのプロトコルデータユニット（ＰＤＵ）に含まれるサービスデータユニット（ＳＤＵ）に対応する送信モードが同じである方式で、少なくとも１つのＰＤＵを生成することにより、ＰＤＵが送信モードに対応するようになるため、物理層は、対応する送信モードでデータを送信することができる。また、本実施例では、該端末装置が該送信モードを決定し又は指示情報に基づいて設定し、端末装置の各層が対応する処理を行うため、実現は簡単である。
【０１８４】
本発明の実施例は更にコンピュータ可読プログラムを記憶した記憶媒体を提供し、そのうち、該コンピュータ可読プログラムはクルマ通信（Ｖ２Ｘ）サービスのデータ送信装置又は端末装置に、実施例１に記載のクルマ通信（Ｖ２Ｘ）サービスのデータ送信方法を実行させる。
【０１８５】
本発明の実施例は更にコンピュータ可読プログラムを提供し、そのうち、クルマ通信（Ｖ２Ｘ）サービスのデータ送信装置又は端末装置の中で該プログラムを実行するときに、該プログラムは該クルマ通信（Ｖ２Ｘ）サービスのデータ送信装置又は端末装置に、実施例１におけるクルマ通信（Ｖ２Ｘ）サービスのデータ送信方法を実行させる。
【０１８６】
本発明の実施例は更にコンピュータ可読プログラムを記憶した記憶媒体を提供し、そのうち、該コンピュータ可読プログラムはクルマ通信（Ｖ２Ｘ）サービスのデータ送信装置又はネットワーク装置に、実施例２のクルマ通信（Ｖ２Ｘ）サービスのデータ送信方法を実行させる。
【０１８７】
本発明の実施例は更にコンピュータ可読プログラムを提供し、そのうち、クルマ通信（Ｖ２Ｘ）サービスのデータ送信装置又はネットワーク装置中で該プログラムを実行するときに、該プログラムはクルマ通信（Ｖ２Ｘ）サービスのデータ送信装置又はネットワーク装置に、実施例２に記載のクルマ通信（Ｖ２Ｘ）サービスのデータ送信方法を実行させる。
【０１８８】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１８９】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切なグループむ合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０１９０】
以上、本発明の好ましい実施形態を説明したが、本発明はこのような実施形態に限定されず、本発明の趣旨を離脱しない限り、本発明に対するあらゆる変更は本発明の技術的範囲に属する。
【０１９１】
また、上述の実施例などに関し、さらに以下の付記を開示する。
【０１９２】
（付記１）
端末装置に設置されるクルマ通信（Ｖ２Ｘ）サービスのデータ送信装置であって、
前記端末装置の媒体アクセス制御（ＭＡＣ）層に設置され、１つのプロトコルデータユニット（ＰＤＵ）に含まれるサービスデータユニット（ＳＤＵ）に対応する送信モードが同じである方式で、少なくとも１つのＰＤＵを生成する第一生成ユニット；及び
前記ＭＡＣ層に設置され、前記ＰＤＵを前記端末装置の物理層に送信し、また、前記ＰＤＵに対応する前記送信モードを前記物理層に通知する第一送信ユニットを含む、装置。
【０１９３】
（付記２）
付記１に記載の装置であって、
前記送信モードはユニキャスト、グループキャスト又はブロードキャストを含む、装置。
【０１９４】
（付記３）
付記１に記載の装置であって、更に、
前記端末装置の上位層に設置され、前記送信モードを決定する第一決定ユニットを含む、装置。
【０１９５】
（付記４）
付記３に記載の装置であって、
前記第一決定ユニットは、Ｖ２Ｘサービスのデータパケット（ｄａｔａ  ｐａｃｋｅｔ（ｓ））及び前記Ｖ２Ｘサービスのデータパケットに対応する送信モードを指示する、装置。
【０１９６】
（付記５）
付記４に記載の装置であって、更に、
前記端末装置のパケットフィルタ（ｐａｃｋｅｔ  ｆｉｌｔｅｒ）に設置され、前記データパケットをサービス品質フロー（ＱｏＳ  ｆｌｏｗ）にマッピングし、そのうち、１つのサービス品質フローにおけるデータパケットに対応する送信モードが同じである第一マッピングユニットを含む、装置。
【０１９７】
（付記６）
付記４に記載の装置であって、更に、
前記端末装置のサービスデータ適応プロトコル（ＳＤＡＰ）層に設置され、サービス品質フロー又は前記Ｖ２Ｘサービスのデータパケットをデータ無線ベアラ（ＤＲＢ）にマッピングし、そのうち、１つのＤＲＢ上の前記サービス品質フロー又は前記Ｖ２Ｘサービスのデータパケットに対応する送信モードが同じである第二マッピングユニットを含む、装置。
【０１９８】
（付記７）
付記４に記載の装置であって、更に、
前記端末装置のパケットデータコンバージェンスプロトコル（ＰＤＣＰ）層に設置され、サービス品質フロー又は前記Ｖ２Ｘサービスデータパケットをデータ無線ベアラ（ＤＲＢ）にマッピングし、そのうち、１つのＤＲＢ上の前記サービス品質フロー又は前記Ｖ２Ｘサービスのデータパケットに対応する送信モードが同じである第三マッピングユニットを含む、装置。
【０１９９】
（付記８）
付記３に記載の装置であって、
前記端末装置のパケットフィルタ（ｐａｃｋｅｔ  ｆｉｌｔｅｒ）は、データパケットをサービス品質フロー（ＱｏＳ  ｆｌｏｗ）にマッピングし、そのうち、１つのサービス品質フローにおけるデータパケットに対応する送信モードが同じであり、
前記第一決定ユニットは前記パケットフィルタに設置され、且つ前記サービス品質フローに対応する送信モードは前記第一決定ユニットにより決定される、装置。
【０２００】
（付記９）
付記１に記載の装置であって、更に、
前記端末装置のアクセス（ＡＳ）層に設置され、前記送信モードを決定するために用いられる第二決定ユニットを含む、装置。
【０２０１】
（付記１０）
付記９に記載の装置であって、
前記第二決定ユニットは、前記端末装置のサービスデータ適応プロトコル（ＳＤＡＰ）層、パケットデータコンバージェンスプロトコル（ＰＤＣＰ）層、無線リンク制御（ＲＬＣ）層、又は媒体アクセス制御（ＭＡＣ）層に設置され、且つ、前記第二決定ユニットは前記送信モードを決定する、装置。
【０２０２】
（付記１１）
付記１０に記載の装置であって、
前記第二決定ユニットは、前記サービスデータ適応プロトコル（ＳＤＡＰ）層に設置され、
前記第二決定ユニットは、ＱｏＳ  ｆｌｏｗ又はＶ２Ｘサービスのデータパケットに対応する前記送信モードを決定し、且つ、前記サービスデータ適応プロトコル（ＳＤＡＰ）層は、前記ＱｏＳ  ｆｌｏｗ又は前記Ｖ２Ｘサービスのデータパケットをデータ無線ベアラ（ＤＲＢ）にマッピングし、そのうち、１つのＤＲＢ上の前記ＱｏＳ  ｆｌｏｗ又は前記Ｖ２Ｘサービスのデータパケットに対応する送信モードが同じであり；又は
前記サービスデータ適応プロトコル（ＳＤＡＰ）層は、前記ＱｏＳ  ｆｌｏｗ又は前記Ｖ２Ｘサービスのデータパケットをデータ無線ベアラ（ＤＲＢ）にマッピングし、且つ、前記第二決定ユニットは、該ＤＲＢに対応する前記送信モードを決定する、装置。
【０２０３】
（付記１２）
付記１０に記載の装置であって、
前記第二決定ユニットは、前記パケットデータコンバージェンスプロトコル（ＰＤＣＰ）層に設置され、ＤＲＢに対応する前記送信モード、ＤＲＢに対応する無線リンク制御チャネル（ＲＬＣ  ｃｈａｎｎｅｌ）に対応する前記送信モード、又はＤＲＢに対応する論理チャネルに対応する前記送信モードを決定するために用いられる、装置。
【０２０４】
（付記１３）
付記１０に記載の装置であって、
前記第二決定ユニットは、前記無線リンク制御（ＲＬＣ）層に設置され、無線リンク制御チャネル（ＲＬＣ  ｃｈａｎｎｅｌ）に対応する前記送信モード又は論理チャネルに対応する前記送信モードを決定するために用いられる、装置。
【０２０５】
（付記１４）
付記１０に記載の装置であって、
前記第二決定ユニットは、前記媒体アクセス制御（ＭＡＣ）層に設置され、論理チャネル（ｌｏｇｉｃ  ｃｈａｎｎｅｌ）に対応する前記送信モード又はＭＡＣ  ＰＤＵに対応する送信モードを決定するために用いられる、装置。
【０２０６】
（付記１５）
付記３−１４のうちの任意の１項に記載の装置であって、更に、
前記端末装置の上位層に設置され、下位層に前記送信モードを通知する第二送信ユニット；又は、
Ｖ２Ｘサービスのデータパケット、及び／又はサービス品質フロー（ＱｏＳ  ｆｌｏｗ）、及び／又はデータ無線ベアラ（ＤＲＢ）、及び／又は無線リンク制御（ＲＬＣ）チャネル、及び／又は論理チャネルに対応する送信モードを標識するための標識ユニットを含む、装置。
【０２０７】
（付記１６）
付記３−１５のうちの任意の１項に記載の装置であって、更に、
前記送信モードをネットワーク装置に通知するための第一通知ユニットを含む、装置。
【０２０８】
（付記１７）
付記１６に記載の装置であって、
前記第一通知ユニットは、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又は、サイドリンク（ｓｉｄｅｌｉｎｋ）バッファ状態報告（ＢＳＲ）、又は、スケジューリング要求（Ｓｃｈｅｄｕｌｉｎｇ  ｒｅｑｕｅｓｔ、ＳＲ）により、前記送信モードを前記ネットワーク装置に通知する、装置。
【０２０９】
（付記１８）
付記１に記載の装置であって、更に、
前記送信モードを設定又は指示するための指示情報に基づいて、前記送信モードを設定する第一設定ユニットを含み、
そのうち、前記指示情報はコアネットワークのネットワーク装置により提供され、又は、アクセスネットワークのネットワーク装置により提供され、又は、路側ユニット（ＲＳＵ）により提供され、又は、事前設定される、装置。
【０２１０】
（付記１９）
付記１８に記載の装置であって、
前記コアネットワークのネットワーク装置が提供する指示情報は、サイドリンク上のｄａｔａ  ｐａｃｋｅｔｓ及び／又はＱｏＳ  ｆｌｏｗｓに対応する送信モードを設定するために用いられる、装置。
【０２１１】
（付記２０）
付記１８に記載の装置であって、
前記アクセスネットワークのネットワーク装置が提供する指示情報は、サイドリンク上のＤＲＢ及び／又はＲＬＣチャネル及び／又は論理チャネルに対応する送信モードを設定するために用いられる、装置。
【０２１２】
（付記２１）
付記１８に記載の装置であって、
前記アクセスネットワークのネットワーク装置が提供する指示情報は、スケジューリングされるサイドリンクデータに対応する送信モードを含む、装置。
【０２１３】
（付記２２）
付記１８に記載の装置であって、
事前設定される指示情報は、サイドリンク上のｄａｔａ  ｐａｃｋｅｔｓ、及び／又はＱｏＳ  ｆｌｏｗｓ、及び／又はＤＲＢ、及び／又はＲＬＣチャネル、及び／又は論理チャネルに対応する送信モードを設定するために用いられる、装置。
【０２１４】
（付記２３）
付記１−２２のうちの任意の１項に記載の装置であって、
前記送信モードは、送信待ちデータのＱｏＳ特性、及び／又はＱｏＳ等級指示、及び／又は前記データが送信される目的端末装置、及び／又は前記データに含まれる情報の内容、及び／又は前記端末装置の地理的位置に基づいて決定される、装置。
【０２１５】
（付記２４）
付記２３に記載の装置であって、
前記ＱｏＳ特性は、データの優先度、及び／又はデータの遅延、及び／又はデータの信頼性、及び／又はデータのデータレート、及び／又はデータの通信範囲を含み、
前記データに含まれる情報の内容は、道路事情、及び／又は環境、及び／又は事故情報を含み；又は、サービスルクエスト、及び／又はフィードバックを含み；又は、グループ共通情報を含む、装置。
【０２１６】
（付記２５）
ネットワーク装置に設置されるクルマ通信（Ｖ２Ｘ）サービスのデータ送信装置であって、
端末装置のデータの送信モードを設定又は指示するための指示情報を生成する第二生成ユニット；及び
前記端末装置に前記指示情報を送信する第二送信ユニットを含み、
そのうち、前記ネットワーク装置はコアネットワークのネットワーク装置又はアクセスネットワークのネットワーク装置である、装置。
【０２１７】
（付記２６）
付記２５に記載の装置であって、
前記ネットワーク装置がコアネットワークのネットワーク装置であるときに、前記指示情報は、サイドリンク上のｄａｔａ  ｐａｃｋｅｔｓ及び／又はＱｏＳ  ｆｌｏｗｓに対応する送信モードを設定するために用いられる、装置。
【０２１８】
（付記２７）
付記２５に記載の装置であって、
前記ネットワーク装置がアクセスネットワークのネットワーク装置であるときに、前記指示情報は、サイドリンク上のＤＲＢ、及び／又はＲＬＣチャネル、及び／又は論理チャネルの送信モードを設定するために用いられる、装置。
【０２１９】
（付記２８）
付記２５に記載の装置であって、
前記ネットワーク装置がコアネットワークのネットワーク装置であるときに、前記指示情報は、スケジューリングされるサイドリンクデータに対応する送信モードを含む、装置。
【０２２０】
（付記２９）
クルマ通信（Ｖ２Ｘ）サービスにおけるデータ送信モードを決定する装置であって、
端末装置送信の前記端末装置のデータの送信モードの通知を受信する第一受信ユニットを含む、装置。
【０２２１】
（付記３０）
付記２９に記載の装置であって、
前記第一受信ユニットは、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又は、サイドリンク（ｓｉｄｅｌｉｎｋ）バッファ状態報告（ＢＳＲ）、又は、スケジューリング要求（Ｓｃｈｅｄｕｌｉｎｇ  ｒｅｑｕｅｓｔ、ＳＲ）により前記通知を受信する、装置。
【０２２２】
（付記３１）
付記２５−３０のうちの任意の１項に記載の装置であって、
前記第二生成ユニットが生成する前記指示情報において、又は、前記第一受信ユニットが受信する前記通知において、
前記送信モードは、送信待ちデータのＱｏＳ特性、及び／又はＱｏＳ等級指示、及び／又は前記データ将被送信到の目の端末装置、及び／又は前記データに含まれる情報の内容、及び／又は前記端末装置の地理的位置に基づいて決定される、装置。
【０２２３】
（付記３２）
付記３１に記載の装置であって、
前記ＱｏＳ特性は、データの優先度、及び／又はデータの遅延、及び／又はデータの信頼性、及び／又はデータのデータレート、及び／又はデータの通信範囲を含み、
前記データに含まれる情報の内容は、道路事情、及び／又は環境、及び／又は事故情報を含み；又は、サービスルクエスト、及び／又はフィードバックを含み；又は、グループ共通情報を含む、装置。
【０２２４】
（付記３３）
ネットワーク装置及び端末装置を含む通信システムであって、
前記ネットワーク装置は、付記２５−３２のうちの任意の１項に記載の装置を含み、前記端末装置は、付記１−２４のうちの任意の１項に記載の装置を含む、通信システム。
【図１】
2021536174.tif 000003
【図２】
2021536174.tif 000004
【図３】
2021536174.tif 000005
【図４】
2021536174.tif 000006
【図５】
2021536174.tif 000007
【図６】
2021536174.tif 000008
【図７】
2021536174.tif 000009
【図８】
2021536174.tif 000010
【図９】
2021536174.tif 000011
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
端末装置に設けられるＶ２Ｘサービスのデータ送信装置であって、
前記端末装置の媒体アクセス制御（ＭＡＣ）層に設けられ、１つのプロトコルデータユニット（ＰＤＵ）に含まれるサービスデータユニット（ＳＤＵ）に対応する送信モードが同じである方式により、少なくとも１つのＰＤＵを生成するための第一生成ユニット；及び
前記ＭＡＣ層に設けられ、前記ＰＤＵを前記端末装置の物理層に送信し、また、前記ＰＤＵに対応する前記送信モードを前記物理層に通知するための第一送信ユニットを含む、データ送信装置。
【請求項２】
請求項１に記載のデータ送信装置であって、
前記送信モードは、ユニキャスト、グループキャスト、又はブロードキャストを含む、データ送信装置。
【請求項３】
請求項１に記載のデータ送信装置であって、
前記端末装置の上位層に設けられ、前記送信モードを決定するための第一決定ユニットを更に含み、
前記上位層はＶ２Ｘ層である、データ送信装置。
【請求項４】
請求項３に記載のデータ送信装置であって、
前記第一決定ユニットは、Ｖ２Ｘサービスのデータパケット（ｄａｔａ  ｐａｃｋｅｔ（ｓ））及び前記Ｖ２Ｘサービスのデータパケットに対応する送信モードを指示する、データ送信装置。
【請求項５】
請求項４に記載のデータ送信装置であって、
前記端末装置のパケットフィルタ（ｐａｃｋｅｔ  ｆｉｌｔｅｒ）に設けられ、前記データパケットをサービス品質フロー（ＱｏＳ  ｆｌｏｗ）にマッピングするための第一マッピングユニットであって、１つのサービス品質フローにおけるデータパケットに対応する送信モードが同じである、第一マッピングユニットを更に含む、データ送信装置。
【請求項６】
請求項４に記載のデータ送信装置であって、
前記端末装置のサービスデータ適応プロトコル（ＳＤＡＰ）層に設けられ、サービス品質フロー又は前記Ｖ２Ｘサービスのデータパケットをデータ無線ベアラ（ＤＲＢ）にマッピングするための第二マッピングユニットであって、１つのＤＲＢ上の前記サービス品質フロー又は前記Ｖ２Ｘサービスのデータパケットに対応する送信モードが同じである、第二マッピングユニットを更に含む、データ送信装置。
【請求項７】
請求項４に記載のデータ送信装置であって、
前記端末装置のパケットデータコンバージェンスプロトコル（ＰＤＣＰ）層に設けられ、サービス品質フロー又は前記Ｖ２Ｘサービスデータパケットをデータ無線ベアラ（ＤＲＢ）にマッピングするための第三マッピングユニットであって、１つのＤＲＢ上の前記サービス品質フロー又は前記Ｖ２Ｘサービスのデータパケットに対応する送信モードが同じである、第三マッピングユニットを更に含む、データ送信装置。
【請求項８】
請求項１に記載のデータ送信装置であって、
前記端末装置のアクセス（ＡＳ）層に設けられ、前記送信モードを決定するための第二決定ユニットを更に含む、データ送信装置。
【請求項９】
請求項３に記載のデータ送信装置であって、
前記送信モードをネットワーク装置に通知するための第一通知ユニットを更に含む、データ送信装置。
【請求項１０】
請求項９に記載のデータ送信装置であって、
前記第一通知ユニットは、サイドリンク端末装置情報（ｓｉｄｅ  ｌｉｎｋ  ＵＥ  ｉｎｆｏｒｍａｔｉｏｎ）無線リソース制御（ＲＲＣ）メッセージ、又は、サイドリンク（ｓｉｄｅｌｉｎｋ）バッファ状態報告（ＢＳＲ）、又は、スケジューリング要求（Ｓｃｈｅｄｕｌｉｎｇ  ｒｅｑｕｅｓｔ、ＳＲ）により、前記送信モードを前記ネットワーク装置に通知する、データ送信装置。
【請求項１１】
請求項１に記載のデータ送信装置であって、
前記送信モードを設定又は指示するための指示情報に基づいて、前記送信モードを設定するための第一設定ユニットを更に含み、
前記指示情報は、コアネットワークのネットワーク装置により提供され、又は、アクセスネットワークのネットワーク装置により提供され、又は、路側ユニット（ＲＳＵ）により提供され、又は、事前設定される、データ送信装置。
【請求項１２】
請求項１１に記載のデータ送信装置であって、
前記コアネットワークのネットワーク装置が提供する指示情報は、サイドリンク上のｄａｔａ  ｐａｃｋｅｔｓ、及び／又はＱｏＳ  ｆｌｏｗｓに対応する送信モードを設定するために用いられる、データ送信装置。
【請求項１３】
請求項１１に記載のデータ送信装置であって、
前記アクセスネットワークのネットワーク装置が提供する指示情報は、サイドリンク上のＤＲＢ、及び／又はＲＬＣチャネル、及び／又は論理チャネルに対応する送信モードを設定するために用いられる、データ送信装置。
【請求項１４】
請求項１１に記載のデータ送信装置であって、
前記アクセスネットワークのネットワーク装置が提供する指示情報は、スケジューリングされるサイドリンクデータに対応する送信モードを含む、データ送信装置。
【請求項１５】
請求項１に記載のデータ送信装置であって、
前記送信モードは、送信待ちデータのＱｏＳ特性及び／又はＱｏＳ等級（ｇｒａｄｅ）指示、及び／又は前記データが送信される目的（ｔａｒｇｅｔ）端末装置、及び／又は前記データに含まれる情報の内容、及び／又は前記端末装置の地理的位置に基づいて決定される、データ送信装置。
【請求項１６】
請求項１５に記載のデータ送信装置であって、
前記ＱｏＳ特性は、データの優先度、及び／又はデータの遅延（ｌａｔｅｎｃｙ）、及び／又はデータの信頼性、及び／又はデータのデータレート、及び／又はデータの通信範囲を含み、
前記データに含まれる情報の内容は、道路事情（ｒｏａｄ  ｃｏｎｄｉｔｉｏｎｓ）、及び／又は環境、及び／又は事故情報を含み；又は、サービスルクエスト及び／又はフィードバックを含み；又は、グループ共通情報を含む、データ送信装置。
【請求項１７】
ネットワーク装置に設けられるＶ２Ｘサービスのデータ送信装置であって、
端末装置のデータの送信モードを設定又は指示するための指示情報を生成するための第二生成ユニット；及び
前記端末装置に前記指示情報を送信するための第二送信ユニットを含み、
前記ネットワーク装置は、コアネットワークのネットワーク装置又はアクセスネットワークのネットワーク装置である、データ送信装置。
【請求項１８】
請求項１７に記載のデータ送信装置であって、
前記送信モードは、ユニキャスト、グループキャスト、又はブロードキャストを含む、データ送信装置。
【請求項１９】
請求項１７に記載のデータ送信装置であって、
前記ネットワーク装置はアクセスネットワークのネットワーク装置であり、前記指示情報はサイドリンク上のＤＲＢの送信モードを設定するために用いられる、データ送信装置。
【請求項２０】
ネットワーク装置及び端末装置を含む通信システムであって、
前記ネットワーク装置は請求項１７−１９のうちの任意の１項に記載のデータ送信装置を含み、前記端末装置は請求項１−１６のうちの任意の１項に記載のデータ送信装置を含む、通信システム。
【国際調査報告】
2021536174.tif 000012
2021536174.tif 000013
2021536174.tif 000014
2021536174.tif 000015